(57)【要約】      （修正有）【課題】双方向オイル供給システムのオイル供給が行え、手動或いは電動の方式でオイルルートバルブ中央の回転軸を調整することにより、選定した油圧バルブセットに正確に対応し並びにオイル供給を行なえる回転式オイルルートバルブを提供する。【解決手段】バルブ本体１、回転軸２、及び複数組の逆止めバルブで構成され、回転軸が回転可能にバルブ本体の中央部分に挿設され、且つバルブ本体に回転軸を中心として径方向に複数組オイルチャネル１２が設けられ、各オイルチャネル内に逆止めバルブが設けられ、回転軸の選定側端に外部駆動部品が組み合わされて手動或いは電動方式で回転軸の回転方向と切り換えたいバルブ位置への定位が制御され、これにより選定した油圧バルブセットに順調にオイルを供給して運転させる。【選択図】図１
0003116874.tif 000002
【実用新案登録請求の範囲】
【請求項１】
バルブ本体、回転軸、及び複数組の逆止めバルブで構成された回転式オイルルートバルブであり、
該バルブ本体は、円形柱状或いは多角形柱状を呈し、バルブ本体の中央に軸孔が設けられ、軸孔の両端にオイルシールが嵌め込まれ、バルブ本体に軸孔を中心として複数組のオイルチャネルと一組のメインオイルチャネルが径方向に輻射状に配列され、該メインオイルチャネルは第１オイル孔と第２オイル孔を包含し双方向オイル供給システムと接続され、
該回転軸は、両側のロッド本体の第１オイル孔と第２オイル孔に対応する部分にそれぞえ環状溝が設けられ、環状溝内部にガイド孔に連通する連通孔が設けられ、またロッド本体の両側にあって、オイルチャネルの二つのオイル孔に対応する部分に、それぞれ軸孔に連通する貫通孔が設けられ、回転軸の選定軸端或いは両端側に外力駆動に供される連接部品が設けられ、
回転軸が回転可能にバルブ本体の中央軸孔部分に挿通され、回転軸の両端がオイルシール内に挿通され、且つ両端のオイルシールの外側に脱出防止装置が設けられたことを特徴とする、回転式オイルルートバルブ。
【請求項２】
請求項１記載の回転式オイルルートバルブにおいて、各バルブ位置のオイルチャネルの一対の交互に入油或いは出油用とされる二つのオイル孔間に、階段状を呈する貫通孔が設けられ、並びに一組の逆止めバルブが設けられ、各逆止めバルブは、可動上棒、二つの逆止めボールシート、及び四つのバネで構成され、該可動上棒はそのロッド体の両端にテーパ状のピンが設けられ、逆止めボールシートは環形を呈する中空状座体とされ、逆止めボールシートの両側端環壁に貫通孔が開設され、また、逆止めボールシートの内孔中央に縮頸状のバルブ孔が開設され、可動上棒が貫通孔内の最小の階段孔径部分に挿入され、並びに可動上棒の両端のピンにバネが嵌合され、二つの逆止めボールシートがそれぞれ可動上棒両端の最小の階段孔径より大きい孔径部分に取り付けられ、二つのスチールボールが二つのバネに組み合わされて、個別に両側の逆止めボールシートのバルブ孔別端に置かれ、並びに貫通孔の両側孔口がボルトで封鎖され且つ逆止めボールシートに圧接しこうして逆止めバルブが完成することを特徴とする、回転式オイルルートバルブ。
【請求項３】
請求項２記載の回転式オイルルートバルブにおいて、可動上棒の両端に嵌合されたバネの間に別に通油切欠きを具えた可動ワッシャが取り付けられたことを特徴とする、回転式オイルルートバルブ。
【請求項４】
請求項２記載の回転式オイルルートバルブにおいて、逆止めボールシートの中央の外環壁にオイルシールが嵌合されたことを特徴とする、回転式オイルルートバルブ。
【請求項５】
請求項１記載の回転式オイルルートバルブにおいて、回転軸の軸径がバルブ本体の軸孔孔径と相互にマッチすることを特徴とする、回転式オイルルートバルブ。
【請求項６】
請求項１記載の回転式オイルルートバルブにおいて、回転軸の各環状溝と貫通孔の間にオイルシールが嵌合されたことを特徴とする、回転式オイルルートバルブ。
【請求項７】
請求項１記載の回転式オイルルートバルブにおいて、バルブ本体にあって回転軸の傍らに漏油チャネルが開設され、且つ漏油チャネルと回転軸の両側の環状溝が導通することを特徴とする、回転式オイルルートバルブ。
【請求項８】
請求項１記載の回転式オイルルートバルブにおいて、可動上棒のロッド本体にオイルシールが嵌合されたことを特徴とする、回転式オイルルートバルブ。
【考案の詳細な説明】
【技術分野】
【０００１】
本考案は一種の回転式オイルルートバルブに係り、特に、回転軸により選定した油圧バルブセットへのオイル供給制御を達成するオイルルートバルブの設計に関する。
【背景技術】
【０００２】
一般に伝統的な油圧バルブの駆動方式は、電力で電磁弁を操作してオイルバルブを駆動してオイルチャネルの切り換え動作を行う、というものである。しかし、電磁弁が故障するか或いは電力が中断される時、油圧バルブは正確にオイルチャネルの切り換え動作を行えなくなる。
【０００３】
図１１は一般の手術台１０の各ベッド１０１部分を示し、それは複数組の油圧装置により仰角の変換調整動作を行い、これによりベッド１０１が手術の必要により患者の肢体を適当な位置に持ち上げる。電磁弁により油圧装置を制御して昇降動作を行う手術台１０は、手術を進行する時、該油圧装置の機能が完全で確実に操作されるかが相当に重要である。
【考案の開示】
【考案が解決しようとする課題】
【０００４】
本考案の主要な目的は、一種の回転式オイルルートバルブを提供することにあり、それは、双方向オイル供給システムのオイル供給が行え、手動或いは電動の方式でオイルルートバルブ中央の回転軸を調整することにより、選定した油圧バルブセットに正確に対応し並びにオイル供給を行なえるものとする。
【０００５】
本考案の次の目的は、一種の回転式オイルルートバルブを提供することにあり、それは、バルブ本体、回転軸及び複数組の逆止めバルブで構成され、回転軸が回転可能にバルブ本体の中央部分に挿設され、且つバルブ本体に回転軸を中心として径方向に複数組オイルチャネルが設けられ、各オイルチャネル内に逆止めバルブが設けられ、回転軸の選定側端に外部駆動部品が組み合わされて手動或いは電動方式で回転方向と切り換えたいバルブ位置への定位が制御され、これにより選定したバルブ位置に順調にオイルを供給するものとする。
【０００６】
本考案の別の目的は、一種の回転式オイルルートバルブを提供することにあり、それは、オイルルートバルブにあって回転軸の側方に漏油チャネルが設けられ、回転軸が各組のバルブ位置のオイルチャネルにオイル供給する時に、該漏油チャネルにより染みだしたオイルを復流させ、オイルの漏洩を発生させないものとする。
【課題を解決するための手段】
【０００７】
請求項１の考案は、バルブ本体、回転軸、及び複数組の逆止めバルブで構成された回転式オイルルートバルブであり、
該バルブ本体は、円形柱状或いは多角形柱状を呈し、バルブ本体の中央に軸孔が設けられ、軸孔の両端にオイルシールが嵌め込まれ、バルブ本体に軸孔を中心として複数組のオイルチャネルと一組のメインオイルチャネルが径方向に輻射状に配列され、該メインオイルチャネルは第１オイル孔と第２オイル孔を包含し双方向オイル供給システムと接続され、
該回転軸は、両側のロッド本体の第１オイル孔と第２オイル孔に対応する部分にそれぞえ環状溝が設けられ、環状溝内部にガイド孔に連通する連通孔が設けられ、またロッド本体の両側にあって、オイルチャネルの二つのオイル孔に対応する部分に、それぞれ軸孔に連通する貫通孔が設けられ、回転軸の選定軸端或いは両端側に外力駆動に供される連接部品が設けられ、
回転軸が回転可能にバルブ本体の中央軸孔部分に挿通され、回転軸の両端がオイルシール内に挿通され、且つ両端のオイルシールの外側に脱出防止装置が設けられたことを特徴とする、回転式オイルルートバルブとしている。
請求項２の考案は、請求項１記載の回転式オイルルートバルブにおいて、各バルブ位置のオイルチャネルの一対の交互に入油或いは出油用とされる二つのオイル孔間に、階段状を呈する貫通孔が設けられ、並びに一組の逆止めバルブが設けられ、各逆止めバルブは、可動上棒、二つの逆止めボールシート、及び四つのバネで構成され、該可動上棒はそのロッド体の両端にテーパ状のピンが設けられ、逆止めボールシートは環形を呈する中空状座体とされ、逆止めボールシートの両側端環壁に貫通孔が開設され、また、逆止めボールシートの内孔中央に縮頸状のバルブ孔が開設され、可動上棒が貫通孔内の最小の階段孔径部分に挿入され、並びに可動上棒の両端のピンにバネが嵌合され、二つの逆止めボールシートがそれぞれ可動上棒両端の最小の階段孔径より大きい孔径部分に取り付けられ、二つのスチールボールが二つのバネに組み合わされて、個別に両側の逆止めボールシートのバルブ孔別端に置かれ、並びに貫通孔の両側孔口がボルトで封鎖され且つ逆止めボールシートに圧接しこうして逆止めバルブが完成することを特徴とする、回転式オイルルートバルブとしている。
請求項３の考案は、請求項２記載の回転式オイルルートバルブにおいて、可動上棒の両端に嵌合されたバネの間に別に通油切欠きを具えた可動ワッシャが取り付けられたことを特徴とする、回転式オイルルートバルブとしている。
請求項４の考案は、請求項２記載の回転式オイルルートバルブにおいて、逆止めボールシートの中央の外環壁にオイルシールが嵌合されたことを特徴とする、回転式オイルルートバルブとしている。
請求項５の考案は、請求項１記載の回転式オイルルートバルブにおいて、回転軸の軸径がバルブ本体の軸孔孔径と相互にマッチすることを特徴とする、回転式オイルルートバルブとしている。
請求項６の考案は、請求項１記載の回転式オイルルートバルブにおいて、回転軸の各環状溝と貫通孔の間にオイルシールが嵌合されたことを特徴とする、回転式オイルルートバルブとしている。
請求項７の考案は、請求項１記載の回転式オイルルートバルブにおいて、バルブ本体にあって回転軸の傍らに漏油チャネルが開設され、且つ漏油チャネルと回転軸の両側の環状溝が導通することを特徴とする、回転式オイルルートバルブとしている。
請求項８の考案は、請求項１記載の回転式オイルルートバルブにおいて、可動上棒のロッド本体にオイルシールが嵌合されたことを特徴とする、回転式オイルルートバルブ。
【考案の効果】
【０００８】
本考案の回転式オイルルートバルブは、バルブ本体、回転軸、及び複数組の逆止めバルブで構成され、回転軸が回転可能にバルブ本体の中央部分に挿設され、且つバルブ本体に回転軸を中心として径方向に複数組オイルチャネルが設けられ、各オイルチャネル内に逆止めバルブが設けられ、回転軸の選定側端に外部駆動部品が組み合わされて手動或いは電動方式で回転軸の回転方向と切り換えたいバルブ位置への定位が制御され、これにより選定した油圧バルブセットに順調にオイルを供給することができる。
【考案を実施するための最良の形態】
【０００９】
図１に示されるように、本考案の回転式オイルルートバルブは、バルブ本体１、回転軸２、及び複数組の逆止めバルブ３で構成されている。
【００１０】
該バルブ本体１は、図２及び図３に示されるように、円形柱状或いは多角形柱状を呈し、複数組の油圧バルブと双方向オイル供給システムの接続に用いられる座体とされ、該バルブ本体１の中央に軸孔１１が設けられ、軸孔１１の両端にオイルシール１１１が嵌め込まれ、バルブ本体１に軸孔１１を中心として複数組のオイルチャネル１２と一組のメインオイルチャネル１３が径方向に配列され、各オイルチャネル１２は一対の交互に配置された入油及び出油用の二つのオイル孔１２１、１２２を包含し、二つのオイル孔１２１、１２２の間に階段状の貫通孔１２３が接続され、該メインオイルチャネル１３は第１オイル孔１３１と第２オイル孔１３２を包含して双方向オイル供給システムと接続される。
【００１１】
回転軸２は、図１、４、５に示されるように、軸径がバルブ本体１の軸孔１１の孔径にマッチするロッド体とされ、ロッド体の両端の中心軸部分にそれぞれガイド孔２１が設けられ、並びにガイド孔２１の孔口がネジ２１１で封鎖され、且つ回転軸２の両側のロッド本体にあって、第１オイル孔１３１と第２オイル孔１３２に対応する部分に環状溝２２が設けられ、環状溝２２内部に径方向に一つ或いは一つ以上のガイド孔２１に連通する連通孔２２１が設けられ、またロッド本体の両側にあって、オイルチャネル１２の二つのオイル孔１２１、１２２に対応する部分に、それぞれ軸孔１１に連通する貫通孔２３が設けられ、各環状溝２２と貫通孔２３の間にオイルシール２４が嵌設され、回転軸２の選定軸端或いは両端側に外力駆動に供される連接部品２５が設けられている。
【００１２】
複数の逆止めバルブ３は、図１及び図６に示されるように、可動上棒３１、二つの逆止めボールシート３２、３２’、及び四つのバネ３４で構成され、該可動上棒３１は柱状ロッド体とされ、ロッド体の両端にテーパ状のピン３１１、３１１’が設けられ、且つピン３１１、３１１’に、通油切欠きを具えた可動ワッシャ３１２が嵌合されている。逆止めボールシート３２は環形を呈する中空状座体とされ、座体中央の外環壁にオイルシール３２２が嵌合され、且つ逆止めボールシート３２の両側端環壁に貫通孔３２２が開設され、また、逆止めボールシート３２の内孔中央に縮頸状のバルブ孔３２３が開設されている。これにより、可動上棒３１が貫通孔１２３内の最小の階段孔径部分に挿入され、並びに可動上棒３１の両端のピン３１１、３１１’にバネ３４が嵌合され、バネ３４の弾力が可動ワッシャ３１２を介して可動上棒３１両端に伝えられ、更に二つの逆止めボールシート３２、３２’がそれぞれ可動上棒３１両端の次の階段孔内径部分部分に取り付けられ、二つのスチールボール３３、３３’が二つのバネ３４に組み合わされて、個別に両側の逆止めボールシート３２、３２’のバルブ孔３２３別端に置かれ、並びに貫通孔１２３の両側孔口がボルト３５で封鎖され且つ逆止めボールシート３２に圧接し（図７）、これにより逆止めボールシート３２が完成する。
【００１３】
以上の部品を利用し、図８に示されるように、回転軸２がバルブ本体１の中央軸孔１１部分に回転可能に挿設され、回転軸２の両端がオイルシール１１１内に挿通され、且つ両端のオイルシール１１１の外側が脱出防止装置１４で封鎖され、バルブ本体１の複数組のオイルチャネル１２内にそれぞれ一組の逆止めバルブ３が設けられ、これにより、外部駆動部品により手動或いは電動の方式で回転軸２の回転方向と切り換えたいバルブ位置への位置決めが制御され、回転軸２が順調に選定したバルブ位置にオイル供給する。
【００１４】
本考案のオイル供給動作方式について以下に詳しく説明する。
【００１５】
回転軸２が切り換えたいバルブ位置に位置決めされた後、双方向オイル供給システムよりメインオイルチャネル１３の第１オイル孔１３１にオイルが導入され、第１オイル孔１３１に対応する環状溝２２を通り、更に連通孔２２１を通りガイド孔２１内に進入し、その後、ガイド孔２１の別端の貫通孔２３より外向きに流出してオイルチャネル１２のオイル孔１２１に至り、オイル孔１２１より貫通孔１２３に流れた後、入油の圧力により可動上棒３１及びスチールボール３３が両側に向けて押し開かれ（図９）、可動上棒３１の別側のピン３１１’が逆止めボールシート３２’の別側のスチールボール３３’を押し開き、スチールボール３３’のバルブ孔３２３に対する封鎖状態を解除させ、オイルは順に逆止めボールシート３２のバルブ孔３２３、貫通孔３２２を通り、オイル孔１２２の出口より流出して油圧バルブに供給されて使用に供される。同時に、油圧バルブより戻されるオイルは、オイル孔１２２より貫通孔１２３に進入し、且つ順に逆止めボールシート３２’の貫通孔３２２、バルブ孔３２３を通り、にオイル孔１２２と対応する貫通孔２３よりガイド孔２１に進入し、並びに連通孔２２１より環状溝２２に流れ、これにより、戻りオイルは環状溝２２の案内により、メインオイルチャネル１３の第２オイル孔１３２より双方向オイル供給システムに復流する。
【００１６】
このほ、バルブ本体１にあって回転軸２の傍らに漏油チャネル１５が開設され、漏油チャネルと回転軸２両側の環状溝２２は導通し、回転軸２が各組のオイルチャネル１２にオイル供給する時、漏油チャネル１５を利用して染みだしたオイルが復流され、こうしてオイルの漏洩が防止される。
【００１７】
また、双方向オイル供給システムがその他の油圧バルブにオイル供給する時は、外部駆動部品により回転軸２が駆動されて回転し、回転軸２の貫通孔２３が作用させたい油圧バルブのオイルチャネル１２に対応し、これにより順調にバルブ位置切り換えの目的を達成する。
【００１８】
総合すると、本考案の回転式オイルルートバルブの設計の、オイルルートバルブに回転の方式を採用して油圧バルブのバルブ位置切り換え制御を行う技術は新規であり、実用新案登録の要件に符合する。
【図面の簡単な説明】
【００１９】
【図１】本考案の立体分解図である。
【図２】本考案中のバルブ本体の断面図である。
【図３】本考案中のバルブ本体の正面図である。
【図４】本考案中の回転軸の外観図である。
【図５】本考案中の回転軸の断面図である。
【図６】本考案中の逆止めバルブの分解図である。
【図７】本考案中の逆止めバルブの組合せ断面図である。
【図８】本考案の組合せ断面図である。
【図９】本考案のオイルルート操作動作表示図である。
【図１０】本考案中、駆動部品がノブ形態で実施された外観図である。
【図１１】周知の手術台の外観図である。
【符号の説明】
【００２０】
１０  手術台              １０１  ベッド
１  バルブ本体            １１  軸孔
１１１  オイルシール      １２  オイルチャネル
１２１、１２２  オイル孔
１２３  貫通孔            １３  メインオイルチャネル
１３１  第１オイル孔      １３２  第２オイル孔
１４  脱出防止装置        １５  漏油チャネル
２  回転軸                ２１  ガイド孔
２１１  ネジ              ２２  環状溝
２２１  連通孔            ２３  貫通孔
２４  オイルシール        ２５  連接部品
３  逆止めバルブ          ３１  可動上棒
３１１  ピン              ３１１’  ピン
３１２  可動ワッシャ      ３２、３２’  逆止めボールシート
３２１  オイルシール
３２２  貫通孔            ３２３  バルブ孔
３３、３３’  スチールボール
３４  バネ                ３５  ボルト
【図１】
0003116874.tif 000003
【図２】
0003116874.tif 000004
【図３】
0003116874.tif 000005
【図４】
0003116874.tif 000006
【図５】
0003116874.tif 000007
【図６】
0003116874.tif 000008
【図７】
0003116874.tif 000009
【図８】
0003116874.tif 000010
【図９】
0003116874.tif 000011
【図１０】
0003116874.tif 000012
【図１１】
0003116874.tif 000013